(57)【要約】      （修正有）【課題】装置の省スペース化、省エネ化、及び経済性向上のため、モータを用いずにセル内の試料の恒温保持と撹拌の両方を行うことが可能な恒温撹拌装置を有する分光光度計を提供する。【解決手段】恒温循環水槽の水流を利用することにより、モータを用いずにセル内の試料の恒温保持と撹拌の両方を行うことが可能な恒温撹拌装置を有する分光光度計を提供する。特に、恒温循環水槽により循環される水流を、セル内の試料を恒温に保つ機能に加え、マグネチックスターラーのマグネットを回転させる動力として利用する。【選択図】図１
2014032015.tif 000002
【特許請求の範囲】
【請求項１】
試料を収納するセルに特定の波長の光を透過させ、該波長を一定または変化させながら前記試料で吸収あるいは透過した波長の光量を検知することで、前記試料の成分や前記試料に含まれる成分量の測定をする分光光度計であって、
前記セルに収納された上記試料を恒温に保つための恒温循環水槽と、上記試料を撹拌するための撹拌子を備え、
前記セルの下部にマグネットを配置した回転部材を設置し、前記恒温循環水槽から送液した水流により該回転部材が回転することにより上記撹拌子が回転して上記試料を撹拌することを特徴とする分光光度計。
【請求項２】
請求項１において、前記恒温循環水槽から送液した水流の流量により上記回転機構の回転速度を制御して、回転部材の回転速度を調整できることを特徴とする分光光度計。
【請求項３】
請求項１において、前記セル同心円状に複数個配置したターレットと、該ターレットを回転させるモータおよびプーリを備える分光光度計。
【請求項４】
請求項１において、前記セルが単体設置できるシングルセルホルダを備える分光光度計。
【請求項５】
請求項１において、前記セルが2個設置できるダブルビーム用セルホルダを備える分光光度計。
【発明の詳細な説明】
【技術分野】
【０００１】
本発明は、分光光度計に関し、特に、セル内の試料の恒温保持と撹拌の両方を行うことが可能な分光光度計に関する。
【背景技術】
【０００２】
複数個の撹拌子を有する装置において、撹拌子の半分の数のマグネットで対応できかつ複数のマグネットを同時回転させるための効率の良い機構の撹拌装置がある。1つのモータで3つのプーリを同時に回転させ、1つのマグネットで2つの撹拌子を回転させることにより。経済的で信頼性の高い装置を提供している（特許文献1参照）。また、可撓性チューブをしごくことで小流量の試料をセルに流すポンプ機能と、複数個の試料の測定が可能な機能を両立する分光光度計が提供されている(特許文献2参照)。
【０００３】
分光光度計では、複数個の試料を一度に測定することや、経済性が求められているため、上記のような撹拌子の同時回転が求められる。さらに複数の動作を一度で終えられるような機能が求められている。
【先行技術文献】
【特許文献】
【０００４】
【特許文献１】特開2011−137778号公報
【特許文献２】特開平7−204485号公報
【発明の概要】
【発明が解決しようとする課題】
【０００５】
従来技術において分光光度計の恒温撹拌装置では、試料を撹拌するために独立したモータを用いており、装置の省スペース化、省エネ化、及び経済性向上の障害となっている。
【０００６】
本発明は、装置の省スペース化、省エネ化、及び経済性向上のため、モータの数減らしてセル内の試料の恒温保持と撹拌の両方を行うことが可能な恒温撹拌装置を有する分光光度計提供することを目的とする。
【課題を解決するための手段】
【０００７】
上記課題を解決するため、恒温循環水槽の水流を利用することにより、攪拌子のためのモータは用いずにセル内の試料の恒温保持と撹拌の両方を行うことが可能な恒温撹拌装置を有する分光光度計を提供する。特に、恒温循環水槽により循環される水流を、セル内の試料を恒温に保つ機能に加え、攪拌子を回転させる動力として利用する。
【発明の効果】
【０００８】
本発明によれば、恒温循環水槽の水流を利用し、セル内の試料を恒温に保つ機能と、マグネチックスターラーで試料を撹拌する機能を両立するので従来撹拌のために用いていたモータが不要となるため、恒温撹拌装置の省エネ化、及び経済性の向上を実現できる。
【図面の簡単な説明】
【０００９】
【図１】分光光度計の基本的な構成の概要を示す構成図である。
【図２】本発明の分光光度計の構成を示す側面図である。
【図３】分光光度計の一部の構成を示す平面図である。
【図４】分光光度計の回転機構部を表す図である。
【図５】分光光度計の回転部材を示す平面図である。
【図６】本発明の分光光度計の構成を示す側面図である。
【図７】分光光度計の回転部材を示す平面図である。
【図８】本発明の分光光度計の構成を示す側面図である。
【発明を実施するための形態】
【実施例１】
【００１０】
図1は分光光度計の基本的な構成の概要を示す構成図である。光源1-1から放射された矢印で示す光は、分光器1-2で分光されて特定の波長が取り出され、試料室1-3に設置されたセル1-4を透過する。セル1-4内には試料1-5が収納されている。試料1-5は液体試料、あるいは液体に混入された試料である。試料1-5を透過した光は光検知手段である検出器1-6で検出される。このとき、分光器1-2でセル1-4へ入射する光の波長を変化させることで、試料1-5に吸収あるいは反射する光の波長を知ることができる。そして、例えば吸収の場合は、横軸を波長、縦軸を光強度とした吸収スペクトルを図示しない演算装置で作成して表示することで、ユーザーは試料の成分を知ることができる。
【実施例２】
【００１１】
図２は分析装置の恒温撹拌装置の一実施例であり、複数個のセル1を図3で示したように円状に装着できるターレット2が設置されている。ターレット2はプーリ3に接続されている。モータ4にてプーリ5が回転し、ベルト6を介してプーリ3が回転する。複数のセルをそれぞれ測定するためにターレット2を回転させて順次測定を行っていく。恒温循環水槽7からOUT側の管8、IN側の管9を決められた温度の水が循環している。管を分岐させ、セル恒温水槽10と回転機構水槽11にそれぞれ流れ込む。セル恒温水槽10がセルに隣接して設置されており、循環水によってセル1内の試料を恒温に保つことができる。回転機構部は図4のようになっている。例えばスクリューなどの回転機構12を軸に取付け、恒温循環水槽7から流れ込んだ水により回転機構12が回転し、軸先端に取り付けられたプーリ13が回転しベルト14を介してプーリ15が回転する。プーリ15にはマグネット16が取付けられた回転部材17が設置されている。回転部材17上に適当な数のマグネットをS極、N極が交互になるよう図3のように配置し、回転部材17が回転すると各セル内の撹拌子18が回転しセル内の試料を撹拌することができる。管9にはコック19が取付けられており、循環水の流量の調整を行うことができる。流量の調整により回転部材17の回転速度の調節ができる。なお、プーリ及び軸部分は、力を伝達できる機構ならばよい。また、回転機構部分は、水流で回転できる機構ならばよい。コックは無くてもよい。
【実施例３】
【００１２】
図6は恒温撹拌装置の一実施例であり、1個のセル1が装着できるシングルセルホルダ20が設置されている。恒温循環水槽7からOUT側の管8、IN側の管9を決められた温度の水が循環している。恒温撹拌水槽21に循環水が流れ込み、セル1内の試料を恒温に保つことができる。また、恒温撹拌水槽21内には回転機構12が備えてあり、循環水が流れ込む際の水流によって恒温撹拌水槽21内の回転機構12が回転し、回転機構12の軸先端に設置された回転部材22が回転する。
【００１３】
回転機構部は図2のようになっている。板22にマグネット16が例えば図7のように取付けられており、板22の回転によりセル1に入れられた撹拌子18が回転する。管9にコック19が取付けられており、循環水の流量の調整を行い板22の回転速度の調節ができる。なお、プーリ及び軸部分は、力を伝達できる機構ならばよい。また、回転機構部分は、水流で回転できる機構ならばよい。マグネットは撹拌子が回転する設置方法ならばよい。コックは無くてもよい。
【実施例４】
【００１４】
図8は恒温撹拌装置の一実施例であり、2個のセル1が装着できるダブルビーム用セルホルダ23が設置されている。恒温循環水槽7からOUT側の管8、IN側の管9を決められた温度の水が循環している。管を分岐させ、セル恒温水槽10と回転機構水槽11にそれぞれ流れ込む。ダブルビーム用セルホルダ23に隣接してセル恒温水槽10が設置されており、循環水によってセル1内の試料を恒温に保つことができる。回転機構部は図2のようになっている。回転機構水槽11に循環水が流れ込み回転機構12が回転し軸先端に取り付けられたプーリ24が回転し、ベルト25を介してプーリ26、プーリ27が回転する。プーリ26は他2つのプーリより径の大きいものとする。
【００１５】
プーリ26、プーリ27それぞれにマグネット16が図5のように取付けられた回転部材17が設置されており、回転部材17の回転により、セル1に入れられている撹拌子18を回転させることができる。管9にコック19が取付けられていれば、循環水の流量の調整を行い回転部材17の回転速度の調節ができる。なお、プーリ及び軸部分は、力を伝達できる機構ならばよい。また、回転機構部分は、水流で回転できる機構ならばよい。マグネットは撹拌子が回転する設置方法ならばよい。
【００１６】
上記の実施例によれば、恒温循環水槽の水流を利用し、セル内の試料の恒温保持機能と、マグネチックスターラーで試料を撹拌する機能を両立することができ、省エネで経済性の高い恒温攪拌装置を提供することができる。
【符号の説明】
【００１７】
1-1 光源
1-2 分光器
1-3 試料室
1-4 セル
1-5 試料
1-6 検出器
1 セル
2 ターレット
3, 5, 13, 15, 23, 24, 26, 27 プーリ
4 モータ
6, 14, 25 ベルト
7 恒温循環水槽
8 OUT側管
9 IN側管
10 セル恒温水槽
11 回転機構水槽
12 回転機構
16 マグネット
17 回転部材
18 撹拌子
19 コック
19 セルホルダ
20 回転機構
21 恒温撹拌水槽
22 回転部材
23 ダブルビーム用セルホルダ
【図１】
2014032015.tif 000003
【図２】
2014032015.tif 000004
【図３】
2014032015.tif 000005
【図４】
2014032015.tif 000006
【図５】
2014032015.tif 000007
【図６】
2014032015.tif 000008
【図７】
2014032015.tif 000009
【図８】
2014032015.tif 000010